(57)【要約】【課題】ユーザによるピント合わせや絞り操作を効果的に支援してフォーカス操作を容易にする。【解決手段】  表示機器は、撮影レンズを介して被写体を撮像し撮像画像を得る撮像部と、上記撮影レンズに関する情報に基づいてピント合わせ範囲の情報を取得する第１の情報取得部と、現在のピント位置を求める第２の情報取得部と、上記ピント合わせ範囲及び上記現在のピント位置を示すフォーカスエイド表示のための表示データを生成するフォーカスエイド生成部と、上記撮像画像中に上記フォーカスエイド表示を重ねて表示させる表示制御部とを具備する。【選択図】図１
2014178643.tif 000002
【特許請求の範囲】
【請求項１】
撮影レンズを介して被写体を撮像し撮像画像を得る撮像部と、
上記撮影レンズに関する情報に基づいてピント合わせ範囲の情報を取得する第１の情報取得部と、
現在のピント位置を求める第２の情報取得部と、
上記ピント合わせ範囲及び上記現在のピント位置を示すフォーカスエイド表示のための表示データを生成するフォーカスエイド生成部と、
上記撮像画像中に上記フォーカスエイド表示を重ねて表示させる表示制御部と
を具備したことを特徴とする表示機器。
【請求項２】
上記フォーカスエイド生成部は、上記ピント合わせ範囲を示す表示のサイズを正規化する
ことを特徴とする請求項１に記載の表示機器。
【請求項３】
上記被写体の距離を測定する第３の情報取得部を具備し、
上記フォーカスエイド生成部は、上記フォーカスエイド表示に上記被写体の距離を示す表示を重ねて表示させる
ことを特徴とする請求項１又は２に記載の表示機器。
【請求項４】
被写界深度の情報を得る第４の情報取得部を具備し、
上記フォーカスエイド生成部は、上記フォーカスエイド表示に上記被写界深度を示す表示を重ねて表示させる
ことを特徴とする請求項１乃至３のいずれか１つに記載の表示機器。
【請求項５】
上記第２の情報取得部は、上記撮像画像中においてユーザが指定したポイントにおけるピント位置を求める
ことを特徴とする請求項１乃至４のいずれか１つに記載の表示機器。
【発明の詳細な説明】
【技術分野】
【０００１】
本発明は、撮影機器に好適な表示機器に関する。
【背景技術】
【０００２】
近年、デジタルカメラなどの撮影機能付き携帯機器（表示機器）が普及している。この種の撮影機器においては表示部を有して、撮影画像を表示する機能を有するものもある。また、表示部にメニュー画面を表示して、撮影機器の操作を容易にしたものもある。更に操作性を向上させるために、表示パネルにタッチパネルを配置して、タッチパネルに対するタッチ操作によって撮影機器の操作が可能なものもある。
【０００３】
この種の撮影機器においては、多彩な映像表現を可能にするために、オートフォーカス機能だけでなく、マニュアルフォーカス機能を利用することもある。また、マニュアルフォーカス時の操作性を向上させるために、特許文献１によって開示されたカメラのように、画面内各ポイントの合焦状態を表示するものもある。
【先行技術文献】
【特許文献】
【０００４】
特開２００８−２５６８２６号公報
【発明の概要】
【発明が解決しようとする課題】
【０００５】
しかしながら、特許文献１の提案による表示だけでは、必ずしも、ユーザーが簡単にピント合わせや絞り操作を簡単に行うことができるとは限らないという問題があった。
【０００６】
本発明は、ユーザによるピント合わせや絞り操作を効果的に支援してフォーカス操作を容易にすることができる表示機器を提供することを目的とする。
【課題を解決するための手段】
【０００７】
本発明に係る表示機器は、撮影レンズを介して被写体を撮像し撮像画像を得る撮像部と、上記撮影レンズに関する情報に基づいてピント合わせ範囲の情報を取得する第１の情報取得部と、現在のピント位置を求める第２の情報取得部と、上記ピント合わせ範囲及び上記現在のピント位置を示すフォーカスエイド表示のための表示データを生成するフォーカスエイド生成部と、上記撮像画像中に上記フォーカスエイド表示を重ねて表示させる表示制御部とを具備する。
【発明の効果】
【０００８】
本発明によれば、ユーザによるピント合わせや絞り操作を効果的に支援してフォーカス操作を容易にすることができるという効果を有する。
【図面の簡単な説明】
【０００９】
【図１】本発明の第１の実施の形態に係る表示機器を備えた撮影機器を示すブロック図。
【図２】像面位相差法によるフォーカス制御を説明するための説明図。
【図３】カメラ制御を説明するためのフローチャート。
【図４】撮影時における撮影機器１の構え方及び操作を示す説明図。
【図５】図４の状態における画面表示の一例を示す説明図。
【図６】本発明の第２の実施の形態を示すフローチャート。
【図７】第２の実施の形態におけるフォーカスエイド表示を説明するためのフローチャート。
【図８】第２の実施の形態におけるフォーカスエイド表示を説明するための図表。
【図９】第２の実施の形態におけるフォーカスエイド表示を説明するための説明図。
【図１０】合焦状態のフォーカスエイド表示を示す説明図。
【図１１】遠側にデフォーカスしている場合のフォーカスエイド表示を示す説明図。
【図１２】遠側にデフォーカスしている場合のフォーカスエイド表示を示す説明図。
【図１３】パンフォーカス状態におけるフォーカスエイド表示を示す説明図。
【図１４】被写界深度が狭い場合のフォーカスエイド表示を示す説明図。
【図１５】第２の実施の形態の動作を説明するための説明図。
【図１６】第２の実施の形態の動作を説明するための説明図。
【図１７】変形例を示す説明図。
【図１８】他の変形例を示す説明図。
【図１９】他の変形例を示す説明図。
【図２０】他の変形例を示す説明図。
【発明を実施するための形態】
【００１０】
以下、図面を参照して本発明の実施の形態について詳細に説明する。
【００１１】
（第１の実施の形態）
図１は本発明の第１の実施の形態に係る表示機器を備えた撮影機器を示すブロック図である。
【００１２】
本実施の形態における撮影機器１は、本体部１０及び交換レンズ２０によって構成されている。本体部１０は、撮影機器１の主要な回路部分が収納されており、前面に交換レンズ２０が着脱自在に取り付けられている。
【００１３】
交換レンズ２０は、鏡筒２２内に、本体部１０の撮像部１２に被写体像を導く光路部２１を有している。光路部２１は、ズームやフォーカシングのためのレンズ及び絞り等を備えており、これらのレンズ及び絞りを駆動するピント制御部２１ａ、ズーム制御部２１ｂ及び絞り機構部２１ｃを有する。ピント制御部２１ａ、ズーム制御部２１ｂ及び絞り機構部２１ｃは駆動部２４及び絞り制御部２５によって駆動制御されるようになっている。
【００１４】
光路部２１は、物体側から撮像部１２の撮像面（像面）に至る光軸上に図示しない複数のレンズが配置されて構成される。光路部２１中には、ピント合わせによりフォーカス（合焦）状態に設定するために可動されるフォーカスレンズ及びフォーカス状態で変倍するズームレンズを有する。ピント制御部２１ａ及びズーム制御部２１ｂは、駆動部２４に制御されて、これらのフォーカスレンズ及びズームレンズを制御するようになっている。また、絞り機構部２１ｃは、絞り制御部２５に制御されて、図示しない絞りを駆動する。絞りは、例えば、光路部２１の所定のレンズ相互間に配置される。
【００１５】
鏡筒２２には、ユーザによる撮影に関するパラメータ、例えば、ズームや絞りに関するパラメータの設定操作のために、操作リング２２ａが設けられている。
【００１６】
操作検出部２７は、操作リング２２ａに対するユーザ操作を検出して検出結果を制御部２３に出力する。制御部２３は、マイコン等によって構成されており、操作検出部２７の検出結果と後述する本体部１０の信号処理及び制御部１１からの信号とに基づいて、各部を制御する。制御部２３の駆動制御部２３ａは、操作検出部２７の検出結果と信号処理及び制御部１１の制御とに従って各種制御信号を発生する。例えば、駆動制御部２３ａは、フォーカス信号及びズーム信号を発生して、駆動部２４を制御する。また、駆動制御部２３ａは、絞り制御信号を発生して、絞り制御部２５を制御する。
【００１７】
駆動部２４は、フォーカス信号に基づいてピント制御部２１ａを駆動制御し、ズーム信号に基づいてズーム制御部２１ｂを駆動制御する。また、絞り制御部２５は、絞り制御信号に基づいて絞り機構部２１ｃを駆動制御する。制御部２３は、例えば、信号処理及び制御部１１の制御に対応したピント位置、ズーム位置、絞り状態となるように駆動部２４及び絞り制御部２５を制御する。
【００１８】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、図示しない記録部に格納したレンズ固有の情報及びズーム操作に関する情報、ピント位置、絞り状態等の情報をレンズ情報として通信部２８，１３によって本体部１０に送信させることができる。
【００１９】
なお、レンズ情報には、現在の焦点距離、Ｆ値等のテーブルが含まれており、更に、ズーム状態に応じた最短焦点距離、無限遠距離等のテーブルも含まれている。レンズ情報により、本体部１０は、交換レンズ２０がどのようなズーム機能を有しているか、ズームレンズの焦点距離範囲（倍率）、焦点距離、最短焦点距離、無限遠距離、明るさナンバー等を認識することができる。また、制御部２３は、操作検出部２７の検出結果の情報も本体部１０に送信するようになっている。
【００２０】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。また、撮像部１２の撮像素子には、画像構成のための撮像用画素（通常画素）以外に、焦点検出用の画素（以下、ＡＦ画素という）が構成されている。
【００２１】
信号処理及び制御部１１は、例えばＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。撮像部１２の出力には、ＡＦ画素からの画素信号も含まれており、後述するように、信号処理及び制御部１１は、ＡＦ画素の出力を用いてフォーカス制御のための演算を行う。
【００２２】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２３】
信号処理及び制御部１１の記録再生制御部１１ｂは、撮像画像の記録及び再生に関する処理を行う。例えば、記録再生制御部１１ｂは、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２４】
信号処理及び制御部１１の表示制御部１１ａは表示に関する各種処理を実行する。表示制御部１１ａは、信号処理後の撮影画像を表示部１７に与えることができる。表示部１７は、ＬＣＤ等の表示画面を有しており、表示制御部１１ａから与えられた画像を表示する。また、表示制御部１１ａは、各種メニュー表示等を表示画面に表示させることもできるようになっている。
【００２５】
記録再生制御部１１ｂは、記録部１６に記録されている撮像画像を読み出して伸張処理することができる。表示制御部１１ａは伸張処理された撮像画像を表示部１７に与えることで、記録画像の再生が可能である。
【００２６】
表示部１７は、後述するように、撮像画像を表示する表示画面１７ａ（図３参照）を有している。また、表示画面１７ａ上には、タッチパネル１８が設けられている。タッチパネル１８は、ユーザが指で指し示した表示画面１７ａ上の位置に応じた操作信号を発生することができる。この操作信号は、信号処理及び制御部１１に供給される。これにより、信号処理及び制御部１１は、ユーザが表示画面１７ａ上をタッチしたりスライドさせたりした場合には、ユーザのタッチ位置、指を閉じ離間させる操作（ピンチ操作）、スライド操作やスライド操作によって到達した位置、スライド方向、タッチしている期間等の各種操作を検出することができ、ユーザ操作に対応した処理を実行することができるようになっている。
【００２７】
なお、表示部１７は、本体部１０の例えば背面の略全域を占めるように配設されており（図３参照）、撮影者は、撮影時に表示部１７の表示画面１７ａ上に表示されたスルー画を確認することができ、スルー画を確認しながら撮影操作を行うこともできる。
【００２８】
本実施の形態においては、信号処理及び制御部１１は、距離及びピント演算部１１ｃを備えている。距離及びピント演算部１１ｃは、ＡＦ画素からの画素信号を用いて、フォーカス制御を行うことができる。
【００２９】
図２は像面位相差法によるフォーカス制御を説明するための説明図である。
【００３０】
像面位相差法においては、被写体からの各光路を射出瞳において例えば右方向と左方向とに分割して、右方向からの光束（右光束）と左方向からの光束（左光束）とを撮像素子の撮像面（受光面）に入射させる。撮像素子に、右光束を受光する画素（以下、Ｒ画素という）と左光束を受光する画素（以下、Ｌ画素）とを構成して、右光束と左光束とをＲ画素とＬ画素の各撮像面に別々に結像させる。
【００３１】
図２において、被写体３１から各光路を介して撮像装置に入射する光学像は、交換レンズ２０の光路部２１を構成する撮影レンズ３２によって、撮像部１２を構成する撮像素子３３の入射面に結像する。ＡＦ検出用のＡＦ画素には、Ｒ撮像部又はＬ撮像部が構成されており、各光路は射出瞳において例えば右方向と左方向とに分割されて、右方向からの光（右光）と左方向からの光（左光）とが、夫々Ｒ撮像部とＬ撮像部とに入射される。例えば、図２において、撮像素子３３の一部３３ａを拡大して示すように、撮影レンズ３２の光軸に対してＲ，Ｌ撮像部を偏心させることで、右光と左光とを各Ｒ，Ｌ撮像部にそれぞれ入射させることができる。
【００３２】
ピントが合っている場合には、Ｒ，Ｌ撮像部には被写体の同一点からの光が入射する。従って、水平方向に配置したＡＦ検出用の複数のＲ撮像部によって得られる画像信号と複数のＬ撮像部によって得られる画像信号とは同一となる。ピントがずれると、図２に示すように、被写体の同一点からの光は、ピントのずれ量に応じてずれた位置のＲ撮像部とＬ撮像部とに入射する。従って、水平方向に配置したＡＦ検出用の複数のＲ撮像部によって得られる画像信号（実線）３４と複数のＬ撮像部によって得られる画像信号（破線）３５とは位相がずれ、位相のずれ量はピントのずれ量に対応する。
【００３３】
距離及びピント演算部１１ｃは、Ｒ，Ｌ撮像部によって得られる画像信号３４，３５同士の撮像面上におけるずれ、即ち、２像間隔を求め、この２像間隔と所定の演算パラメータを用いて、デフォーカス量及びデフォーカス方向を算出する。距離及びピント演算部１１ｃは、現在のフォーカス位置と求めたデフォーカス量に応じて被写体位置（被写体距離）を求めると共に、デフォーカス量に応じてピント調整用のレンズを駆動することで、オートフォーカスを実現する。なお、距離及びピント演算部１１ｃは、所定の演算パラメータをレンズ情報から取得することができる。
【００３４】
なお、距離及びピント演算部１１ｃは、像面位相差法によって、デフォーカス量、被写体位置を求めるものとして説明したが、撮像部１２においてＡＦ画素が構成されていない場合には、コントラスト検出法によって、被写体位置を求め、現在のフォーカス位置及びデフォーカス量を求めるようにしてもよい。
【００３５】
レンズ情報演算部１１ｄは、制御部２３からレンズ情報を得ると共に、撮像部１２に関する情報を得る。レンズ情報演算部１１ｄは、レンズ情報を参照することで、最短撮影距離、無限遠距離を得る。また、レンズ情報演算部１１ｄは、レンズ情報及び撮像部１２に関する情報を元に、後方被写界深度量、前方被写界深度量を求める。
【００３６】
フォーカスエイド生成部１１ｅは、距離及びピント演算部１１ｃの出力とレンズ情報演算部１１ｄの出力とに基づいて、フォーカスエイド表示に必要な情報を生成して表示制御部１１ａに出力する。フォーカスエイド表示は、撮影者が、マニュアルフォーカス操作を簡単に行うために必要な情報を含む。例えば、フォーカスエイド表示としては、最短撮影距離、無限遠距離、現在のフォーカス位置、被写体位置、後方被写界深度、前方被写界深度等の情報を示す表示が考えられる。これらの情報は、最短撮影距離と無限遠距離との間の１次元の情報であり、最短撮影距離と無限遠距離とを表すバー表示上に各位置を表示するものであってもよい。
【００３７】
表示制御部１１ａは、フォーカスエイド生成部１１ｅによって生成されたフォーカスエイド表示のための情報が与えられて、スルー画上にフォーカスエイド表示を表示させることができるようになっている。
【００３８】
次に、このように構成された実施の形態の動作について図３乃至図５を参照して説明する。図３はカメラ制御を説明するためのフローチャートであり、図４は撮影時における撮影機器１の構え方及び操作を示す説明図である。図５は図４の状態における画面表示の一例を示す説明図である。
【００３９】
撮影機器１の電源が投入されると、信号処理及び制御部１１は、図３のステップＳ２１において、ＭＦ（マニュアルフォーカス）撮影モードが指示されたか否かを判定する。ＭＦ撮影モードが指示されていない場合には、信号処理及び制御部１１は、ステップＳ２２において、再生モードが指示されたか否かを判定する。再生モードが指示されると、信号処理及び制御部１１は、ステップＳ２３において、サムネイルの一覧表示を行う。サムネイル一覧を参照したユーザによる画像の選択が行われると、ステップＳ２４からステップＳ２５に処理を移行して、信号処理及び制御部１１は選択画像の再生を行う。再生が終了すると（ステップＳ２６）、ファイル一覧表示を繰り返す。ファイル選択が行われない場合には、ステップＳ２７において再生モードの終了を判定する。
【００４０】
一方、ＭＦ撮影モードが指示されると、信号処理及び制御部１１は、ステップＳ３１において、撮像部１２からの画像信号に基づいて、表示部１７に撮像画像（スルー画）をライブビュー表示させる。
【００４１】
いま、撮影者４１が、図４に示すように、左手４２Ｌで交換レンズ２０の鏡筒２２部分を支え、右手４２Ｒによって本体部１０を把持して、撮影のために構えているものとする。図４に示すように、本体部１０の筐体背面の表面には、表示部１７の表示画面１７ａが設けられている。なお、図３では、被写体として花４５，４６を有する植物４７を撮影する例を示している。この構えた態勢において背面からみると、図５に示すように、スルー画（ライブビュー画像）５１が本体部１０の表示部１７の表示画面１７ａ上に表示されている。スルー画５１中には、花４５，４６に対応する画像５２，５３が撮像されている。
【００４２】
次のステップＳ３２において、信号処理及び制御部１１は、交換レンズ２０の制御部２３との間でカメラ通信を行い、レンズ情報及び操作情報を取得し、絞り及びピント位置を判定する。
【００４３】
次に、信号処理及び制御部１１は、ステップＳ３３において、タッチパネル１８に対するタッチ操作があったか否かを判定する。タッチ操作がない場合には、ステップＳ３９，Ｓ４１，Ｓ４２において、静止画撮影操作、動画撮影操作、動画撮影終了操作が行われたか否かを判定する。
【００４４】
いま、撮影者４１のマニュアルフォーカス操作を容易にするために、マニュアルフォーカス操作を支援するフォーカスエイド表示を表示させるものとする。撮影者４１は、右手４２Ｒの人差し指４２ａによって表示画面１７ａ上に表示されたライブビュー画像５１中のピントを合わせたい位置をタッチする。
【００４５】
このタッチ操作は、タッチパネル１８によって検出され、信号処理及び制御部１１に通知される。信号処理及び制御部１１の距離及びピント演算部１１ｃは、指定された被写体までの距離を求める（ステップＳ３４）。また、レンズ情報演算部１１ｄは、レンズ情報から最短撮影距離、無限遠距離の情報を得る。
【００４６】
フォーカスエイド生成部１１ｅは、距離及びピント演算部１１ｃの出力とレンズ情報演算部１１ｄの出力とに基づいてフォーカスエイド表示を構成する合焦エリアバーの表示データを生成して表示制御部１１ａに出力する。こうして、表示制御部１１ａによって、表示画面１７ａのスルー画５１中に、フォーカスエイド表示５５を構成する合焦エリアバー表示５６を表示する（ステップＳ３５）。
【００４７】
合焦エリアバー表示５６は、合焦可能な範囲、即ち、下端５６ａが最短撮影距離に対応し、上端５６ｂが無限遠距離に対応する。また、フォーカスエイド生成部１１ｅは、表示制御部１１ａによって、合焦エリアバー表示５６上に、被写体の位置を示す被写体位置表示５７ａを表示させる。また、フォーカスエイド生成部１１ｅは、表示制御部１１ａによって、合焦エリアバー表示５６上に、後方被写界深度及び前方被写界深度の範囲を夫々示す後方被写界深度表示５７ｂ及び前方被写界深度表示５７ｂを表示させる。
【００４８】
信号処理及び制御部１１は、ステップＳ３７において、ピント合わせの操作があったか否かを判定する。例えば、操作リング２２ａの回転操作が検出される。撮影者４１が操作リング２２ａを回転操作してピントの設定を行うと、この回転が操作検出部２７によって検出され、制御部２３は回転量に応じた操作信号を信号処理及び制御部１１に出力する。信号処理及び制御部１１のフォーカスエイド生成部１１ｅは、距離及びピント演算部１１ｃの出力によって現在のピント位置を示すピント位置表示５７ｄを、表示制御部１１ａによって、合焦エリアバー表示５６上に表示させる（ステップＳ３８）。
【００４９】
なお、図３では、操作リング２２ａの操作を検出した後にピント位置表示５７ｄを表示させる例を示したが、操作リング２２ａを操作する前にピント位置表示５７ｄを表示させるようにしてもよい。
【００５０】
撮影者４１は、ピント操作に際して、フォーカスエイド表示５５によって、ピントをどちらの方向にどれくらい移動させれば良いかを簡単に理解することができ、マニュアルフォーカス時においても簡単に高精度のフォーカス調整が可能となる。スルー画によっては、ピントが合っているか否かを容易に判別できないことがある。この場合でも、撮影者は、フォーカスエイド表示６１を参照することで、ピントのずれや、ピントの合わせ方を容易に把握することができる。
【００５１】
なお、信号処理及び制御部１１は、操作リング２２ａの操作によって、ピントを調整する例を説明したが、ピント位置表示５７ｄに対するＧＵＩ（グラフィカルユーザインタフェース）操作によって、ピント調整を行うようにしてもよい。
【００５２】
ステップＳ３９では、撮影操作が行われたか否かが判定される。例えばレリーズボタン操作等によって静止画撮影が指示されると、信号処理及び制御部１１は、ステップＳ４０において撮影を行う。即ち、信号処理及び制御部１１は、撮像部１２からの撮像画像に信号処理を施して圧縮した後、記録部１６に与えて記録を開始する。また、信号処理及び制御部１１は、ステップＳ４１において、動画撮影操作が行われたか否かを判定する。動画撮影操作が行われると、信号処理及び制御部１１は、動画撮影を開始する（ステップＳ４２）。動画撮影の終了操作が行われると（ステップＳ４３）、信号処理及び制御部１１は、ステップＳ４４において、動画撮影を終了すると共に、記録部１６の記録画像をファイル化する。
【００５３】
なお、図５では実際の距離を表示していないが、最短撮影距離、無限遠距離、被写体位置、現状のピント位置、後方及び前方被写界深度について、距離情報を表示するようにしてもよい。
【００５４】
また、レンズを交換した場合等、レンズ特性に応じて、最短撮影距離、無限遠距離等が変化するが、これらの距離を正規化し、合焦エリアバー表示５６を常に一定のサイズで表示させるようにしてもよい。合焦エリアバー表示５６を正規化して均一のサイズで表示することにより、異なるレンズが装着された場合でも、常に同じような感覚でマニュアルフォーカス操作が可能である。
【００５５】
また、図５の例では、１つのフォーカスエイド表示５５のみを表示する例について示したが、撮像画像中の各被写体毎にフォーカスエイド表示５５を表示させるようにしてもよい。この場合には、各フォーカスエイド表示５５の合焦エリアバー表示５６のサイズを正規化することで、画面上見やすい表示が可能となる。例えば、画面の上中下の３箇所に、約画面縦方向の１／３程度の長さの合焦エリアバー表示５６を表示させる方法等が考えられる。
【００５６】
このように本実施の形態においては、最短撮影距離、無限遠距離、被写体位置、現状のピント位置、後方及び前方被写界深度等をバー表示によって表示しており、ユーザは簡単に合焦位置、被写界深度の状態等を認識することができ、マニュアルフォーカス操作を著しく簡単にすることができる。このように、ユーザによるピント合わせや絞り操作を効果的に支援してマニュアルフォーカス操作を簡単化することができる
（第２の実施の形態）
図６は本発明の第２の実施の形態を示すフローチャートである。本実施の形態のハードウェア構成は第１の実施の形態と同様である。第１の実施の形態においては、フォーカスエイド表示を１箇所に表示する例について説明した。本実施の形態はフォーカスエイド表示の他の表示形態を示すものであり、例えば複数の被写体についての複数のフォーカスエイド表示を同時に表示することが可能である。
【００５７】
先ず、図７のフローチャート、図８の図表及び図９の説明図を参照して本実施の形態におけるフォーカスエイド表示を詳細に説明する。本実施の形態においても、距離及びピント演算部１１ｃ、レンズ情報演算部１１ｄ、フォーカスエイド生成部１１ｅによってフォーカスエイド表示のための表示データが生成される。
【００５８】
図７のステップＳ７１において、レンズ情報演算部１１ｄは、レンズ情報に含まれるテーブルを参照して、最短撮影距離を取得する。レンズ情報演算部１１ｄは、ステップＳ７２において、レンズ情報に含まれるテーブルを参照して、無限遠距離を取得する。なお、レンズ情報演算部１１ｄは、焦点距離の２０００倍以上の距離を無限遠に設定してもよい。
【００５９】
フォーカスエイド生成部１１ｅは、ステップＳ７３において、最短撮影距離と無限遠距離の間に、距離の逆数による仮想的なゲージを設定する。次に、距離及びピント演算部１１ｃは、ステップＳ７４，Ｓ７５において、被写体距離及びデフォーカス量を求める。なお、距離及びピント演算部１１ｃは、例えば、ＡＦ画素の画素信号によって合焦位置（被写体距離）を算出することができ、合焦位置と現状フォーカス位置との差分をデフォーカス量として求めることができる。
【００６０】
次に、レンズ情報演算部１１ｄは、ステップＳ７６，Ｓ７７において、後方及び前方被写界深度量を算出する。例えば、レンズ情報演算部１１ｄは、前方及び後方被写界深度量を、以下の光学的な緒言情報を元に算出することが可能である。
:  レンズ焦点距離[mm] 、
:  被写体距離[mm] 
:  レンズから結像面までの距離[mm] 
:  過焦点距離[mm] (被写体距離無限遠時の近点距離) 
:  F値 (撮影時の絞り) 
:  焦点深度 [mm] 
:  許容錯乱円直径 [mm] 
:  近点距離[mm] 
:  遠点距離[mm] 
:  前方被写界深度[mm] 
:  後方被写界深度[mm] 
:  センサー対角線長
なお、これらの情報はレンズの接続時の基本情報の読み出しと常時監視している現在の状態情報（F値、焦点距離、被写体距離など）から取得することができる。
【００６１】
また、レンズ情報演算部１１ｄは、マクロ撮影などを除き、被写体距離が焦点距離より長い場合には、下記（１）式、（２）式の近似式によって、前方被写界深度量及び後方被写界深度量を算出してもよい。
前方被写界深度 ＝（Ｒ２・δ・Ｆ）／（ｆ２＋Ｒ・δ・Ｆ）      …（１）
後方被写界深度 ＝（Ｒ２・δ・Ｆ）／（ｆ２−Ｒ・δ・Ｆ）      …（２）
但し、
Ｒ  ：  被写体距離
Ｆ  ：  Ｆ値
ｆ  ：  焦点距離
δ  ：  許容錯乱円径
である。
【００６２】
なお、一般的な近似式によって、図８に示す被写界深度の判定結果が得られる。なお、図８は像面幅 17.30mm、像面高さ13.00mm、対角線長さ 21.64mm、許容錯乱円径 0.01665mm、標準レンズ 25.01mmで被写体距離5mの場合の例を示している。図８のテーブルを図示しないメモリに記憶させ、レンズ情報演算部１１ｄがこのメモリから読み出しを行うことで、後方及び前方被写界深度を得るようにしてもよい。
【００６３】
フォーカスエイド生成部１１ｅは、ステップＳ７８において、各ステップで求めた値を元に、描画位置及びサイズを算出してフォーカスエイド表示の表示データを生成する。この表示データが表示制御部１１ａに供給されて、表示画面１７ａ上にフォーカスエイド表示が表示される（ステップＳ７９）。
【００６４】
図９はフォーカスエイド表示を示す説明図である。図９において、フォーカスエイド表示６１は、距離の逆数によるゲージ表示６２、下端が最短撮影距離に対応し、上端が無限遠に対応する合焦エリア表示６３、合焦エリア表示６３上で現状ピント位置を示すピント位置表示６４、塗り潰しで示す後方被写界深度表示６６ａ及び前方被写界深度表示６６ｂ、これらの深度表示６６ａ，６６ｂ間の無地領域によって示す合焦位置表示６５によって構成される。
【００６５】
なお、ゲージ表示６２は、距離の逆数で目盛を取っているが、被写体距離をはさんで同じ幅に近点距離と遠点距離の目盛を打つことが理論上可能である。しかし、実際の距離とのマッチングは精密なレンズ個体調整等が必要となる場合がある。
【００６６】
また、フォーカスエイド表示において、ゲージ表示６２を省略し、接続するレンズやレンズのズーム等の状態により変動する最短撮影距離や無限遠距離を抽象化して相対量表示としてもよい。この場合のフォーカスエイド表示は、ユーザーに距離そのものを意識させない表示となるので、表示に合わせた厳密な固体調整を行う必要は無く、ユーザはフォーカス操作を直感的に行うことができる。
【００６７】
次に、図１０乃至図１４の説明図を参照してフォーカス状態とフォーカスエイド表示の関係を説明する。
【００６８】
図１０は合焦状態のフォーカスエイド表示６１を示している。図１０に示すように、ピント位置表示６４は、後方被写界深度表示６６ａと前方被写界深度表示６６ｂとの間の合焦位置表示６５上に位置する。
【００６９】
図１１及び図１２は遠側にデフォーカスしている場合のフォーカスエイド表示６１の例を示している。なお、図１１及び図１２は、同一被写体位置の同一被写体を撮影した場合の例を示しており、デフォーカス量も同じである。図１１では、ピント位置表示６４は、合焦位置表示６５よりも無限遠側であって、後方被写界深度表示６６ａよりも無限遠側に位置し、ピントが合っていない。一方、図１２では、ピント位置表示６４は、合焦位置表示６５よりも無限遠側であるが、後方被写界深度表示６６ａの範囲内に位置する。デフォーカス量が後方被写界深度内に入っているので、この状態でもピントは合っており、撮影可能であることが分かる。
【００７０】
撮影者は、図１１の表示を参照することで、デフォーカス量が０となるようにピント合わせしてもよく、また、被写界深度量を図１２のように変化させることでピントが合うように調整しても良い。フォーカスエイド表示６１を参照することで、撮影者は直感的な操作によって比較的簡単にピントを合わせることが可能である。なお、レンズ情報演算部１１ｄは、現在のデフォーカス量の状態でピントが合うように被写界深度量を調整可能であるか否かについても、絞り状態に応じた被写界深度のテーブルから簡単に求めることができるので、絞りの調整によってピント合わせが可能であることを撮影者に表示するようにしてもよい。
【００７１】
図１３はパンフォーカス状態におけるフォーカスエイド表示６１を示している。図１３の例では、絞り込み等によって、被写界深度が撮影可能範囲の略全域に広がっており、デフォーカス量は後方被写界深度内に入っている。従って、この状態でもピントは合っており、撮影可能である。
【００７２】
図１４は被写界深度が狭い場合のフォーカスエイド表示６１を示している。図１４の例は、例えば焦点距離が長いレンズを採用した場合や開放絞りの状態で撮影した場合等に相当し、被写界深度が浅く、僅かなデフォーカスが生じても、ピントが合わないことを示している。
【００７３】
このような状態で、被写界深度量の視認性が悪くなった場合には、自動的にゲージを拡大した表示に切り替えたり、遠側を省略して注目点（合焦位置）を中心に延伸表示することも可能である。
【００７４】
次に、ピント合わせのための操作について、図６のフローチャート、図１５及び図１６の説明図を参照して説明する。
【００７５】
撮影機器１の電源が投入されると、信号処理及び制御部１１は、図６のステップＳ５１において、交換レンズ２０が接続されていることを検出する。信号処理及び制御部１１は、ステップＳ５２において、交換レンズ２０の制御部２３との間で通信を行って、レンズ情報を読み出す。レンズ情報演算部１１ｄは、読み出したレンズ情報を図示しない記憶部に記憶させる（ステップＳ５３）。こうして、ズーム位置、フォーカス位置に応じた諸元情報が本体部１０内に格納される。
【００７６】
信号処理及び制御部１１は、ステップＳ５４において、スルー画表示を開始する。なお、動画記録が指示されている場合には、動画記録が開始される。本実施の形態においては、信号処理及び制御部１１は、ステップＳ５５において、フォーカスエイド表示の開始操作を受け付ける。撮影者は、フォーカスエイド表示を指示するための図示しない操作ボタンの操作やメニュー表示に対するタッチ操作等によって、フォーカスエイド表示を指示することができる。
【００７７】
信号処理及び制御部１１は、ステップＳ５６において、スルー画又は動画の表示を更新し、ステップＳ５７において、レンズ通信を行う。ステップＳ５８では、信号処理及び制御部１１は、レンズ交換が行われたか否かを判定し、レンズ交換が行われている場合には、ステップＳ５１に処理を戻して、ステップＳ５１〜Ｓ５７の処理を繰り返す。レンズ交換が行われていない場合には、ステップＳ５９に移行してフォーカスエイド表示のための処理を行う。
【００７８】
即ち、距離及びピント演算部１１ｃは、像面位相差法による測距を実行する。これにより、距離及びピント演算部１１ｃは、被写体距離、デフォーカス量とその方向を多点で算出することができる。測距ポイントは予め設定されており、例えば、距離及びピント演算部１１ｃは、全ての測距ポイントについて、被写体距離及びデフォーカス量を算出することができる。また、この時点で、レンズ情報演算部１１ｄにより、レンズ情報から最短撮影距離、無限遠距離が求められている。
【００７９】
なお、距離及びピント演算部１１ｃは、像面位相差法による測距だけでなく、撮像画像からコントラストを判定する山登り方式のフォーカス処理を行ってもよく、通常の一眼レフで一般的に採用されている透過ミラー及び位相差センサを用いたＡＦ処理と同様の方式を採用してもよい。
【００８０】
次に、信号処理及び制御部１１は、測距ポイントのうちフォーカスエイド表示を行うポイント（以下、表示ポイントという）を決定する（ステップＳ６０）。例えば、信号処理及び制御部１１は、ユーザ指定に従って、表示ポイントを設定することができる。また、信号処理及び制御部１１は、測距結果によって非合焦であると判定されたポイントを表示ポイントに設定してもよく、また、パン、チルト、顔追尾、動体追尾等により、表示ポイントを自動的に変更設定するようにしてもよい。また、信号処理及び制御部１１は、多分割オートフォーカスの結果や画像認識から注目点（表示ポイント）を自動的に複数点配置することもできる。
【００８１】
図１５（ａ）はユーザ指定による表示ポイントの設定例を示している。表示画面１７ａ上にはスルー画７１が表示されている。スルー画７１は、被写体である２つの花を撮影することによって得られたものであり、２つの花の画像７２，７３が表示されている。なお、画像７３は比較的近い被写体を撮影して得られたものであり、画像７２は比較的遠い被写体を撮影して得られたものである。
【００８２】
撮影者は、人差し指４２ａによって表示画面１７ａ上に表示されたスルー画７１中でピント制御をしたい位置をタッチする。図１５（ａ）の例では、撮影者が画像７２，７３の位置をタッチしたことを示している。
【００８３】
このタッチ操作は、タッチパネル１８によって検出され、信号処理及び制御部１１に通知される。フォーカスエイド生成部１１ｅは、指定されたポイントについて、距離及びピント演算部１１ｃによって得られた被写体距離及びデフォーカス量、レンズ情報演算部１１ｄによって得られた最短撮影距離、無限遠距離、後方被写界深度、前方被写界深度等の情報を取得する。
【００８４】
フォーカスエイド生成部１１ｅは、取得した情報に基づいてフォーカスエイド表示の表示データを生成して表示制御部１１ａに与える。こうして、表示制御部１１ａは、ステップＳ６１において、フォーカスエイド表示を表示させる。図１５（ｂ）はこの状態を示しており、スルー画７１中には、２箇所の表示ポイントにおいてフォーカスエイド表示６１ａ，６１ｂが夫々表示されている。フォーカスエイド表示６１ａ，６１ｂは、ゲージ表示６２を省略した点を除き図９のフォーカスエイド表示６１と同一の表示方法によって表示されたものであり、図９と同様の符号を付してある。
【００８５】
なお、図１５において、画像７２，７３の破線はピントが合っていないことを示している。距離及びピント演算部１１ｃは、指定されたポイント近傍のＡＦ画素出力により、リアルタイムに測距演算を行うことができる。撮影者は、フォーカスエイド表示６１ａ，６１ｂを参照することで、各表示ポイント（測距ポイント）について現在のフォーカスに関する情報、合焦位置（被写体距離）、後方及び前方被写界深度、デフォーカス量等を把握することができる。
【００８６】
図１５（ｂ）ではピントが合っていないことを破線によって示しており明確であるが、実際のスルー画では合焦状態は必ずしも目で見てはっきりと分かるとは限らない。しかし、フォーカスエイド表示６１ａ，６１ｂでは、各被写体についてのフォーカスの状態を簡単に把握することができる。フォーカスエイド表示６１ａによって、画像７２に対応する奥の被写体にはフォーカスが合っているが、フォーカスエイド表示６１ｂによって、画像７３に対応する手前の被写体は近距離側の後方被写界深度外となっていることを明確に把握できる。
【００８７】
信号処理及び制御部１１は、ステップＳ６２において、ピント合わせ等のユーザ操作があったか否かを判定する。例えば、タッチパネル操作や操作リング２２ａの回転操作等が行われると、信号処理及び制御部１１は、この操作を検出し、ユーザ操作に応じて絞り、ズーム、フォーカス等のレンズ状態を更新する（ステップＳ６４）。
【００８８】
このユーザ操作に応答して、距離及びピント演算部１１ｃ及びレンズ情報演算部１１ｄは、許容錯乱円、被写界深度、焦点距離算出等の処理を再度行い、フォーカスエイド生成部１１ｅは、フォーカスエイド表示の更新を行う（ステップＳ６５）。ステップＳ５６〜Ｓ６５の処理は、ステップＳ６６においてスルー画の停止操作が行われたと判定されるまで、数ｍ秒〜１００ｍ秒程度の間隔で繰り返される（ステップＳ６７）。
【００８９】
図１５（ｃ）は撮影者がマニュアルフォーカス操作を行うことにより、あるいはオートフォーカスにより、画像７３に対応する手前の被写体にフォーカスを合わせた状態を示している。フォーカスエイド表示６１ｂによって画像７３はピントが合っていることが分かる。また、この操作によって、画像７２に対応する奥の被写体が被写界深度外となっており、フォーカスエイド表示６１ａによって、画像７２はピントがずれていることが分かる。
【００９０】
撮影者が画像７２，７３に対応する２つの被写体の両方にピントを合わせたい場合には、フォーカスエイド表示６１ａ，６１ｂを見ることで、撮影者は被写界深度の調整を行えばよいと判断することができる。撮影者が絞りこみ操作を行と、この絞り込み操作に応じてリアルタイムに測距、深度等が求められて、フォーカスエイド表示６１ａ，６１ｂが更新される。
【００９１】
図１５（ｄ）はこの場合の表示を示しており、フォーカスエイド表示６１ａ，６１ｂによって、前方及び後方被写界深度が広がり、画像７２，７３に対応する両方の被写体が、いずれも被写界深度内に入ってピントが合っていることが分かる。
【００９２】
このように、スルー画の画像のぼけによってピントのずれを判断するのではなく、ピント位置表示６４が被写界深度表示６６ａ，６６ｂ内に位置するか否かによって、ピントのずれを判断することができ、画像からはピントのずれが分かりにくい場合でも、確実にピントのずれ量及びずれ方向を判断することができる。また、ピント位置表示６４と被写界深度表示６６ａ，６６ｂの位置関係等によって、撮影者は比較的簡単に被写界深度の調整によりピントが合うか否かを判断することができる。撮影者の絞り操作に応じて、リアルタイムに被写界深度表示６６ａ，６６ｂが変化し、ピント位置表示６４が被写界深度内に入ることを確認することができ、撮影者によるフォーカス調整、絞り調整によるピント合わせを効果的に支援することができる。
【００９３】
なお、絞り込み状態では位相差ＡＦ画素を用いた測距結果の精度が低下することがある。このため、通常、スルー画表示時には、絞りを開放状態にして撮像を行い、プレビュー表示の指示によって撮影時の絞り状態で撮影を行うことが多い。従って、通常、スルー画によっては絞りの影響を確認することができない。しかし、本実施の形態においては、レンズ情報演算部１１ｄによって被写界深度量を求めており、測距精度を低下させることなく、被写界深度表示６６ａ，６６ｂによって、絞りの影響を簡単に確認することが可能である。
【００９４】
また、撮影者が、被写体の一方のみにピントを合わせ他方をぼかして撮影することを希望することもある。この場合においても、撮影者は、被写界深度表示６６ａ，６６ｂ参照することで、比較的簡単にこのような撮影のためのフォーカス調整及び絞り調整を行うことができる。
【００９５】
また、距離及びピント演算部１１ｃ並びにレンズ情報演算部１１ｄの出力によって、ピント合わせのための調整方法が求められるので、表示制御部１１ａによって、ピント合わせのためのフォーカス調整及び絞り調整の仕方について、メッセージ表示を表示するようにしてもよい。
【００９６】
図１５においては、主に操作リング２２ａに対する操作によって、フォーカス及び絞りの調整を行う例について説明した。図１６はタッチパネル１８を利用したＧＵＩ操作によって、フォーカス及び絞りの調整を行う例を示すものである。図１６においては、図１５（ｂ）乃至（ｄ）と同様に、スルー画７１には、画像７２，７３及びフォーカスエイド表示６１ａ，６２ａが表示されている。
【００９７】
図１６（ａ）はフォーカス調整のための操作例を示している。図１６（ａ）では、撮影者が、表示画面１７ａ上でスライド操作を行うことを示している。矢印はスライド操作の方向を示しており、信号処理及び制御部１１は、撮影者による指のスライド操作におけるスライド方向及びスライド量に従って、ピント調整を行うと共に、調整結果に基づいてフォーカスエイド表示６１ａ，６１ｂを更新する。図１６（ａ）は操作者が指を垂直下方にスライドさせることにより、現状のピント位置が近距離側に移動し、ピント位置表示６４が下方にスライドしたことを示している。
【００９８】
図１６（ｂ）は絞り調整のための操作例を示している。図１６（ｂ）では、撮影者が、表示画面１７ａ上で２本指でのスライド操作、いわゆるピンチ操作を行うことを示している。矢印はピンチ操作の方向を示しており、信号処理及び制御部１１は、撮影者による指のピンチ操作におけるピンチ方向及びピンチ量に従って、絞り調整を行うと共に、調整結果に基づいてフォーカスエイド表示６１ａ，６１ｂを更新する。図１６（ｂ）は操作者が指４２ａ，４２ｂを広げる方向にピンチ操作することにより、現状の絞りを絞る方向に制御して、被写界深度表示６６ａ，６６ｂが広がったことを示している。
【００９９】
図１６（ｃ）はフォーカス及び絞り調整のための操作例を示している。図１６（ｃ）では、撮影者が、表示画面１７ａの下部に配置された操作表示７５によってフォーカス及び絞り制御を行うことを示している。操作表示７５は上側にフォーカス調整操作表示７５ａが表示され、下側に絞り調整操作表示７５ｂが表示されている。フォーカス調整操作表示７５ａ及び絞り調整操作表示７５ｂ上には、夫々操作バー７６ａ，７６ｂが表示されており、撮影者は指４２ａのスライド操作によって、操作バー７６ａ，７６ｂの表示位置を変化させることで、フォーカス及び絞り調整が可能である。
【０１００】
このように本実施の形態においては、第１の実施の形態と同様の効果が得られると共に、複数の被写体に対応したフォーカスエイド表示が可能であり、ピント調整及び絞り調整によって各被写体のピントや被写界深度について変化の状態や調整幅をリアルタイムで且つ直感的に把握することができる。これにより、ボケや被写界深度を生かした作品性の高い撮影を行うことが容易となる。また、被写界深度の状態を、絞り開放状態で把握することができ、操作性に優れている。
【０１０１】
（変形例）
図１７は変形例を示す説明図である。図１７は選択した測距点（表示ポイント）の数や配置に応じてフォーカスエイド表示のサイズを変化させた例を示している。図１７は表示画面１７ａ上にスルー画８１が表示されており、スルー画８１中には、人物の画像８２，８３、山の画像８４及び雲の画像８５が表示されていることを示している。図１７（ａ）では、人物の画像８２及び山の画像８４についてのフォーカスエイド表示６１が表示されている。
【０１０２】
これに対し、図１７（ｂ）は、フォーカスエイド表示を表示するポイント数が図７（ａ）よりも増えたことを示しており、このため、フォーカスエイド表示を縮小させたフォーカスエイド表示６１ｓが採用されている。
【０１０３】
また、図１７（ｃ）は図１７（ｂ）よりも更に多くのフォーカスエイド表示６１ｓを表示させた例を示している。図１７（ｃ）の例は、例えば、測距結果からカメラで自動的にポイントを選択する場合等のように比較的多くの表示ポイントが設定された例を示している。このような表示ポイントは、例えば、顔の目の検出による人物判断、遠近の判断による主要被写体抽出、エッジ、色検出による主要被写体抽出、ローコントラスト被写体の除外等の処理によって自動的に設定されるようにしてもよい。
【０１０４】
図１８は他の変形例を示す説明図であり、図１７と同一のスルー画８１を表示している状態を示している。図１８はフォーカスエイド表示の表示中において、撮影者がズーミング、パンやチルト等を行った場合の例を示している。この場合には、撮像画像中において被写体が移動する。この場合でも、顔検出や動体トラッキングアルゴリズムを適用することで、各被写体に対応したフォーカスエイド表示の表示位置を被写体の移動に合わせて自動的に移動させることが可能である。
【０１０５】
図１８（ｂ）は図１８（ａ）の状態からカメラを右側にパンさせた場合のスルー画８１を示している。この場合にも、各被写体に対応した位置にフォーカスエイド表示６１ｓを表示させている。また、図１８（ｃ）は図１８（ｂ）の状態から画像８２に対応する被写体のみが移動した例を示している。この場合においても、画像８２の移動位置に対応する位置にフォーカスエイド表示６１ｓを表示させることができる。
【０１０６】
図１９は他の変形例を示す説明図である。上記各例では、フォーカスエイド表示を被写体の画像に重ねて表示したことから、被写体の視認性が悪くなることがある。これに対し、図１９のスルー画９１では、各被写体の画像９２，９３に夫々対応した吹き出し表示領域９４，９５を設け、これらの領域９４，９５に、各被写体の画像９２，９３に対応したフォーカスエイド表示６１を表示させるものである。この表示では、各被写体の画像の視認性が悪化することを防止することができる。
【０１０７】
図２０は他の変形例を示す説明図である。図２０はフォーカスエイド表示の他の例を示している。図２０（ａ）に示すフォーカスエイド表示１０１は、左右方向に延びた合焦エリア表示１０２と、ピント位置表示１０３と被写界深度表示１０４とによって構成される。この例は、マニュアルフォーカスのための操作部材が、例えば、左右のレバー式である場合等に有効であり、操作方向と表示が変化する方向を対応させることで、より直感的な操作が可能である。
【０１０８】
また、図２０（ｂ）に示すフォーカスエイド表示１０５は、円弧状に延びた合焦エリア表示１０６と、ピント位置表示１０７と被写界深度表示１０８とによって構成される。この例は、マニュアルフォーカスのための操作部材が、例えば、リング式の場合等に有効であり、回転方向と表示の変化方向とを対応させることで、より直感的な操作が可能である。
【０１０９】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよい。撮影機器でなくとも、このような工夫によって、ピントが合った画像を正確に観察できる観察装置、表示装置を提供することが可能となる。
【０１１０】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１１１】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【０１１２】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストリールしたり、あるいは記録媒体からコンピュータにインストールすることで、容易に本実施の形態の表示機器を実現することができる。
【符号の説明】
【０１１３】
１…撮影機器、１０…レンズ部、１１…信号処理及び制御部、１１ａ…表示制御部、１１ｂ…記録再生制御部、１１ｃ…距離及びピント演算部、１１ｄ…レンズ情報演算部、１１ｅ…フォーカスエイド生成部、１２…撮像部、１７…表示部、１８…タッチパネル、２０…交換レンズ、２２ａ…操作リング、２３…制御部。
【図１】
2014178643.tif 000003
【図２】
2014178643.tif 000004
【図３】
2014178643.tif 000005
【図４】
2014178643.tif 000006
【図５】
2014178643.tif 000007
【図６】
2014178643.tif 000008
【図７】
2014178643.tif 000009
【図８】
2014178643.tif 000010
【図１５】
2014178643.tif 000011
【図１６】
2014178643.tif 000012
【図１７】
2014178643.tif 000013
【図１８】
2014178643.tif 000014
【図１９】
2014178643.tif 000015
【図２０】
2014178643.tif 000016
【図９】
2014178643.tif 000017
【図１０】
2014178643.tif 000018
【図１１】
2014178643.tif 000019
【図１２】
2014178643.tif 000020
【図１３】
2014178643.tif 000021
【図１４】
2014178643.tif 000022